(57)【要約】      （修正有）【課題】皮革製品の経年変化や、外部からの衝撃が加わった場合でもＤ環や背環などの附属品が脱落することなく安全確実に連結する簡易連結具を提供する。【解決手段】金属材からなるフランジ部の中央垂直方向に係止軸４を一体に形成し、該係止軸の軸心方向に一定間隔で複数の鍔部５を設け、前記フランジ部に合成樹脂材からなる保護頭部９を被せて一体に形成した圧入ピン２と、フランジ部の中央に設けた連結筒部１７’に、前記圧入ピン２の係止軸４に設けた鍔部５が挿入可能な挿入口を有し、該挿入口の奥側を前記鍔部５の外径より狭くした内壁面１９’を有する合成樹脂材からなる係止受筒１５’とからなる簡易連結具。【選択図】図８
0003146024.tif 000002
【実用新案登録請求の範囲】
【請求項１】
金属材からなるフランジ部（３）の中央に係止軸（４）を一体に形成し、該係止軸の先端から後端方向に向かって一定間隔毎に円錐状の鍔部（５）を複数設け、各鍔部の後端周面にそれぞれ喰込刃部（８）を形成し、前記フランジ部（３）の外周面に合成樹脂材からなる保護頭部（９）を被せて一体に形成した圧入ピン（２）と、
前記圧入ピン（２）の係止軸（４）が挿通可能な挿入口（１８）、（２７）の内部に、前記係止軸（４）に設けた鍔部（５）の喰込刃部（８）が喰い込む内壁面（１９）、（２８）を有した硬質合成樹脂製の被連結材（１５）、（２１）とからなり、
前記被連結材（１５）、（２１）の挿入口（１８）、（２７）に、前記圧入ピン（２）の係止軸（４）を圧入し、該係止軸に設けた鍔部（５）の喰込刃部（８）を前記内壁面（１９）、（２８）に後退不可能に喰い込ませて固着することを特徴とする簡易連結具。
【請求項２】
前記圧入ピン（２）の保護頭部（９）は、上端に反射板を取付ける平坦部（１０）を形成し、周面に各種模様を施した装飾部（１１）を形成し、底面で前記係止軸（４）と同心円上にフランジ部（３）を一部露出させた凹溝部（１２）を設けてなることを特徴とする請求項1記載の簡易連結具。
【請求項３】
前記被連結材が、フランジ部（１６）の中央垂直方向に連結筒部（１７）を一体に形成してなる係止受筒（１５）で、前記連結筒部（１７）の内壁面（１９）に、前記圧入ピン（２）の係止軸（４）に設けた鍔部（５）の喰込刃部（８）を後退不可能に喰い込ませて固着することを特徴とする請求項1記載の簡易連結具。
【請求項４】
前記被連結材が、中央に吊下げ環（２３）を取付け、左右対称位置に背負いベルトの一端を連結する一対の可動アーム（２５）を揺動可能に軸支した背環本体（２２）の任意箇所に、前記圧入ピン（２）の係止軸（４）を挿通する少なくとも１以上の挿入口（２７）を一体に設けてなる背環（２１）で、該背環の挿入口（２７）の内壁面（２８）に、前記圧入ピン（２）の係止軸（４）に設けた鍔部（５）の喰込刃部（８）を後退不可能に喰い込ませて固着することを特徴とする請求項1記載の簡易連結具。
【請求項５】
前記係止受筒（１５）の挿入口（１８）、または背環（２１）の挿入口（２７）に設けた内壁面（１９）、（２８）は、入口を前記圧入ピン（２）に設けた係止軸（４）の鍔部（５）が挿入可能な大径に形成し、奥側を前記係止軸（４）とほぼ同径に狭めて全体をテーパー状に形成してなり、圧入された係止軸（４）の鍔部（５）に設けた喰込刃部（８）が奥側の内壁面（１９）、（２８）に複数個所喰い込ませて後退不可能に固定することを特徴とする請求項３または４記載の簡易連結具。
【請求項６】
前記係止受筒（１５´）の挿入口（１８´）、または背環（２１´）の挿入口（２７´）に設けた内壁面（１９´）、（２８´）は、入口側を前記圧入ピン（２）に設けた係止軸（４）の鍔部（５）が挿入可能で大径な内壁部（１９ａ）、（２８ａ）を設け、奥側を前記係止軸（４）とほぼ同径に狭めた内壁筒部（１９ｂ）、（２８ｂ）を設けてなり、圧入された係止軸（４）の鍔部（５）に設けた喰込刃部（８）が奥側の内壁筒部（１９ｂ）、（２８ｂ）に複数個所喰い込ませて後退不可能に固着することを特徴とする請求項３または４記載の簡易連結具。
【請求項７】
金属材からなるフランジ部（３）の中央に係止軸（４）を一体に形成し、該係止軸の先端から後端方向に向かって一定間隔毎に複数の円錐状に形成した鍔部（５）を設け、該鍔部の後端周面にそれぞれ喰込刃部（８）を形成し、前記フランジ部（３）の外周面に、上端に反射板を取付ける平坦部（１０）を形成し、周面に各種模様を施した装飾部（１１）を形成し、底面で前記係止軸（４）と同心円上にフランジ部（３）を一部露出させた凹溝部（１２）を設けてなる合成樹脂材からなる保護頭部（９）を被せて一体に形成した圧入ピン（２）と、
合成樹脂材により形成したフランジ部（１６）の中央垂直方向に連結筒部（１７）を一体に形成し、該連結筒部の上端挿入口（１８）を前記係止軸（４）に設けた鍔部（５）の喰込刃部（８）が挿入可能に形成し、奥側を前記係止軸（４）とほぼ同径の内径を有したテーパー状に形成した内壁面（１９）を設けた合成樹脂材からなる係止受筒（１５）とからなり、
前記圧入ピン（２）の係止軸（４）の先端を、前記係止受筒（１５）の連結筒部（１７）の挿入口（１８）から内壁部（１９）に圧入して前記圧入ピン（２）の鍔部（５）に設けた喰込刃部（８）を前記内壁部（１９）に後退不可能に喰い込ませて固着することを特徴とする簡易連結具。
【請求項８】
金属材からなるフランジ部（３）の中央に係止軸（４）を一体に形成し、該係止軸の先端から後端方向に向かって一定間隔毎に複数の円錐状に形成した鍔部（５）を設け、該鍔部の後端周面にそれぞれ喰込刃部（８）を形成し、前記フランジ部（３）の外周面に、上端に反射板を取付ける平坦部（１０）を形成し、周面に各種模様を施した装飾部（１１）を形成し、底面で前記係止軸（４）と同心円上にフランジ部（３）を一部露出させた凹溝部（１２）を設けてなる合成樹脂材からなる保護頭部（９）を被せて一体に形成した圧入ピン（２）と、
合成樹脂材により形成したフランジ部（１６）の中央垂直方向に連結筒部（１７）を一体に形成し、該連結筒部の上端挿入口（１８）を前記係止軸（４）に設けた鍔部（５）の喰込刃部（８）が挿入可能に形成し、奥側を前記係止軸（４）とほぼ同径の内径を有したテーパー状に形成した内壁面（１９）を設けた合成樹脂材からなる係止受筒（１５）と、
中央に吊下げ環（５２）を取付け、左右対称位置に背負いベルトの一端を連結する一対の可動アーム（５３）を揺動可能に軸支した合成樹脂材からなる背環本体（５１）に、前記係止受筒（１５）の連結筒部（１７）が挿通する少なくとも１以上の挿入孔（５５）を一体に設けた第２背環（５０）とからなり、
前記第２背環（５０）を固定する背板（４０）の取付孔（４１）の背面側から前記係止受筒（１５）の連結筒部（１７）を第２背環（５０）の挿入孔（５５）に挿通し、次いで、第２背環（５０）の表側から前記圧入ピン（２）の係止軸（４）を連結筒部（１７）の挿入口（１８）に挿入し、さらに、係止軸（４）を圧入させて鍔部（５）の喰込刃部（８）を前記挿入口（１８）の内壁部（１９）に後退不可能に喰い込ませて固着することを特徴とする簡易連結具。
【考案の詳細な説明】
【技術分野】
【０００１】
本考案は、ランドセルやリュックサックまたは旅行かばんなどに取付ける背環やD環などの附属品を留める連結具の改良に関する。
【背景技術】
【０００２】
従来、ランドセルやリュックサックまたはかばんなどに、小物を吊下げるD環や背負ベルトを連結する背環などの附属品を取付ける場合、該付属品の用途に応じて金属材により形成したリベットや、はとめまたはボルト・ナットなどの連結具で連結固定されている。
【０００３】
前記連結具のうち、リベットは、フランジ部の中央に樹立させた軸部を被連結部材に設けた孔に挿通し、該軸部の先端を叩いて変形させることにより連結固定している。はとめは、雌雄一対の部品からなり、フランジ部の中央に樹立させた軸部を有する雄片と前記雄片の軸部先端を受ける皿状の雌片とからなり、被連結部材に設けた孔に雄片の軸部を挿通し、孔の反対側の突出した軸部の先端に雌片を被せ、該雄片のフランジ部と雌片とを冶具で圧着することにより軸部の先端をかしめて連結固定している。
【０００４】
前記したごとく、吊下げ具をランドセルの肩ベルトにリベットやはとめを使用して連結することが広く行われている（特許文献１）。
【特許文献１】実用新案登録第３１１３２９６号公報
【０００５】
ボルト・ナットによる連結は、例えば、背環を背板に取付ける場合、前記背環に設けたボルト孔にボルトを挿通した後、背板側からナットを前記ボルトに螺合させて治具により締着固定して連結している。
【０００６】
しかし、背環や吊下げ具などの被連結部物が金属材の場合は、前記連結具による連結で十分であるが、被連結部材が合成樹脂材により形成され、取付ける素材がランドセルやリュックサックまたはかばんなどの皮革製品の場合、皮革製品は経年変化により、伸びて薄くなったり、腰がなくなり柔らかくなるため連結部分の孔が広がって、連結部分が弛んだり、つぶしたリベットの頭部が抜けたりするおそれがある。
【０００７】
はとめによる連結部分は、前記リベットと同じく連結部分が弛んだり、はとめ自体が劣化することにより、はとめに軸方向の衝撃が加わるとかしめ部分が広がって弛み、雄片の頭部が雌片から脱けるおそれがある。
【０００８】
吊下げ具などなどのように回転可能に軸支する場合、連結具として使用されるボルト・ナットは、前記リベットやはとめと同じように基板となる皮革製品が経年変化により、伸びて薄くなって腰がなくなり柔らかくなると、吊下げ具の回転と共にボルト・ナットが弛んで脱落するおそれがある。
【０００９】
また、前記したランドセルやリュックサックまたはかばんなどの皮革製品の場合、附属品を取付ける場所や用途により、連結具がそれぞれ相違し、被連結部材により多種類の連結具を用意しなければならず、そのため部品数が多くなり大変不経済であるなど、多くの問題点を有している。
【考案の開示】
【考案が解決しようとする課題】
【００１０】
本考案が解決しようとする課題は、ランドセルやリュックサックまたはかばんなどの皮革製品に付属部品である被連結部材を連結する場合、連結具の種類を少なくし、皮革製品が経年変化により薄くなったり、腰がなくなったり、外部からの衝撃が加わった場合でも安全確実に連結部分の弛みや脱落を防止することのできる連結具を提供することを目的とするものである。
【課題を解決するための手段】
【００１１】
請求項１の考案は、金属材からなるフランジ部３の中央に係止軸４を一体に形成し、該係止軸の先端から後端方向に向かって一定間隔毎に円錐状の鍔部５を複数設け、各鍔部の後端周面にそれぞれ喰込刃部８を形成し、前記フランジ部３の外周面に合成樹脂材からなる保護頭部９を被せて一体に形成した圧入ピン２と、前記圧入ピン２の係止軸４が挿通可能な挿入口１８、２７の内部に、前記係止軸４に設けた鍔部５の喰込刃部８が喰い込む内壁面１９、２８を有した硬質合成樹脂製の被連結材１５、２１とからなり、前記被連結材１５、２１の挿入口１８、２７に、前記圧入ピン２の係止軸４を圧入し、該係止軸に設けた鍔部５の喰込刃部８を前記内壁面１９、２８に後退不可能に喰い込ませて固着することを特徴とする。また、前記圧入ピン２の保護頭部９は、上端に反射板を取付ける平坦部１０を形成し、周面に各種模様を施した装飾部１１を形成し、底面で前記係止軸４と同心円上にフランジ部３を一部露出させた凹溝部１２を設けてなることを特徴とする。さらには、前記被連結材が、フランジ部１６の中央垂直方向に連結筒部１７を一体に形成してなる係止受筒１５で、前記連結筒部１７の内壁面１９に、前記圧入ピン２の係止軸４に設けた鍔部５の喰込刃部８を後退不可能に喰い込ませて固着することを特徴とする。さらにはまた、前記被連結材が、中央に吊下げ環２３を取付け、左右対称位置に背負いベルトの一端を連結する一対の可動アーム２５を揺動可能に軸支した背環本体２２の任意箇所に、前記圧入ピン２の係止軸４を挿通する少なくとも１以上の挿入口２７を一体に設けてなる背環２１で、該背環の挿入口２７の内壁面２８に、前記圧入ピン２の係止軸４に設けた鍔部５の喰込刃部８を後退不可能に喰い込ませて固着することを特徴とする。また、前記係止受筒１５の挿入口１８、または背環２１の挿入口２７に設けた内壁面１９、２８は、入口を前記圧入ピン２に設けた係止軸４の鍔部５が挿入可能な大径に形成し、奥側を前記係止軸４とほぼ同径に狭めて全体をテーパー状に形成してなり、圧入された係止軸４の鍔部５に設けた喰込刃部８が奥側の内壁面１９、２８に複数個所喰い込ませて後退不可能に固定することを特徴とする。さらには、前記係止受筒１５´の挿入口１８´、または背環２１´の挿入口２７´に設けた内壁面１９´、２８´は、入口側を前記圧入ピン２に設けた係止軸４の鍔部５が挿入可能で大径な内壁部１９ａ、２８ａを設け、奥側を前記係止軸４とほぼ同径に狭めた内壁筒部１９ｂ、２８ｂを設けてなり、圧入された係止軸４の鍔部５に設けた喰込刃部８が奥側の内壁筒部１９ｂ、２８ｂに複数個所喰い込ませて後退不可能に固着することを特徴とする。
【００１２】
したがって、圧入ピン２の各鍔部５の下面を円錐状に形成してスムースな進入を可能し、該鍔部の上端に喰込刃部８を設けたことにより、引き抜き方向の力に対し、喰込刃部８が内壁面１９、２８に喰い込み圧入ピン２の離脱を防止して確実に連結させることができ、また、圧入ピン２のフランジ部３を合成樹脂材により形成した保護頭部９で覆うことにより部品の軽量化を図ることができる。
【００１３】
請求項７の考案は、金属材からなるフランジ部３の中央に係止軸４を一体に形成し、該係止軸の先端から後端方向に向かって一定間隔毎に複数の円錐状に形成した鍔部５を設け、該鍔部の後端周面にそれぞれ喰込刃部８を形成し、前記フランジ部３の外周面に、上端に反射板を取付ける平坦部１０を形成し、周面に各種模様を施した装飾部１１を形成し、底面で前記係止軸４と同心円上にフランジ部３を一部露出させた凹溝部１２を設けてなる合成樹脂材からなる保護頭部９を被せて一体に形成した圧入ピン２と、合成樹脂材により形成したフランジ部１６の中央垂直方向に連結筒部１７を一体に形成し、該連結筒部の上端挿入口１８を前記係止軸４に設けた鍔部５の喰込刃部８が挿入可能に形成し、奥側を前記係止軸４とほぼ同径の内径を有したテーパー状に形成した内壁面１９を設けた合成樹脂材からなる係止受筒１５とからなり、前記圧入ピン２の係止軸４の先端を、前記係止受筒１５の連結筒部１７の挿入口１８から内壁部１９に圧入して前記圧入ピン２の鍔部５に設けた喰込刃部８を前記内壁部１９に後退不可能に喰い込ませて固着することを特徴とする。
【００１４】
したがって、合成樹脂材により形成した保護頭部９をフランジ部３に被せて一体に形成した圧入ピン２と、同じく合成樹脂材により形成した係止受筒１５とで形成することにより安価で軽量な連結具１を提供でき、また、圧入ピン２の各鍔部５の下面を円錐状に形成したことによりスムースな進入を可能し、前記鍔部５の上端に喰込刃部８を設けたことにより、圧入ピンの引き抜き方向の力に対し、該鍔部の喰込刃部８が内壁面１９に喰い込んで圧入ピン２の離脱を防止し、確実に連結させることができる。
【００１５】
請求項８の考案は、金属材からなるフランジ部３の中央に係止軸４を一体に形成し、該係止軸の先端から後端方向に向かって一定間隔毎に複数の円錐状に形成した鍔部５を設け、該鍔部の後端周面にそれぞれ喰込刃部８を形成し、前記フランジ部３の外周面に、上端に反射板を取付ける平坦部１０を形成し、周面に各種模様を施した装飾部１１を形成し、底面で前記係止軸４と同心円上にフランジ部３を一部露出させた凹溝部１２を設けてなる合成樹脂材からなる保護頭部９を被せて一体に形成した圧入ピン２と、合成樹脂材により形成したフランジ部１６の中央垂直方向に連結筒部１７を一体に形成し、該連結筒部の上端挿入口１８を前記係止軸４に設けた鍔部５の喰込刃部８が挿入可能に形成し、奥側を前記係止軸４とほぼ同径の内径を有したテーパー状に形成した内壁面１９を設けた合成樹脂材からなる係止受筒１５と、中央に吊下げ環５２を取付け、左右対称位置に背負いベルトの一端を連結する一対の可動アーム５３を揺動可能に軸支した合成樹脂材からなる背環本体５１に、前記係止受筒１５の連結筒部１７が挿通する少なくとも１以上の挿入孔５５を一体に設けた第２背環５０とからなり、前記第２背環５０を固定する背板４０の取付孔４１の背面側から前記係止受筒１５の連結筒部１７を、第２背環５０の挿入孔５６に挿通し、次いで、第２背環５０の表側から前記圧入ピン２の係止軸４を連結筒部１７の挿入口１８に挿入し、さらに、係止軸４を圧入させて鍔部５の喰込刃部８を前記挿入孔１８の内壁部１９に後退不可能に喰い込ませて固着することを特徴とする。
【００１６】
したがって、第２背環５０を背板に取付ける場合、金属材からなる係止軸４を有する圧入ピン２と、合成樹脂材により形成した係止受筒１５とで連結することにより、部材の軽量化を図ることができ、また、圧入ピン２の係止軸４に設けた各鍔部５の喰込刃部８を係止受筒１５の連結筒部１７内に喰い込んで係止させることにより安全確実に連結でき、且つ、作業能率の向上を図ることができる。
【考案を実施するための最良の形態】
【００１７】
本考案の実施の形態を図面に基づいて説明すると、図１は本考案に係る圧入ピンの一部破断した正面図、図２は圧入ピンの係止軸に設けた鍔部の要部拡大図、図３は圧入ピンの底面図、図４は第１係止受筒の中央断面図、図５は第２係止受筒の中央断面図、図６は第１背環に設けた第１連結筒部を示す一部破断した断面図、図７は第１背環に設けた第２連結筒部の要部拡大断面図である。連結具１は、被連結材を連結する圧入ピン２と、該圧入ピンを係止する係止受筒１５または第１背環２１からなり、前記圧入ピン２は、金属材からなるフランジ部３の中央垂直方向に係止軸４を一体に形成し、該係止軸の周面軸心方向に複数の鍔部５を一定間隔で設け、前記フランジ部３の外周面に合成樹脂材からなる保護頭部９を取付けて形成してある。
【００１８】
図１、２に示すごとく、圧入ピン２の係止軸４の軸心方向に一定間隔で設けた複数の鍔部５は、それぞれ侵入側を係止軸４と同径の基部６からフランジ部３方向を大径に形成した円錐面７の最大外径部の周囲に肉厚な喰込刃部８を一体に形成し、前記フランジ部３の外周面に合成樹脂材からなる保護頭部９を被せて一体に形成してある。
【００１９】
前記鍔部５を形成する円錐面７の傾斜角度は、約３〜３０度で、好ましくは５〜１５度に形成し、係止軸４の挿入を容易にし、前記円錐面７の上端に肉厚な喰込刃部８を設けたことにより係止軸４に引き抜き方向の力が作用した場合、図９に示すごとく、前記鍔部５の喰込刃部８が内壁面１９に喰い込み圧入ピン２の離脱を防止することができる。
【００２０】
圧入ピン２に引き抜き方向の力が作用した場合、例えば、係止軸４の直径が１ｍｍで、鍔部５の枚数が５枚とした場合、約３０ｋｇの力に耐えることができる。したがって、係止軸４の直径を２〜３ｍｍと太くすることにより７０〜１００ｋｇの力に耐えることが可能である。
【００２１】
前記圧入ピン２のフランジ部３を覆った合成樹脂材からなる保護頭部９は、図１、３、１１に示すごとく、上端に反射板（図示せず）を取付ける平坦部１０を設け、周面に各種模様を施した装飾部１１を形成し、底面で前記係止軸４と同心円上で前記フランジ部３の底面を一部露出させた凹溝部１２をそれぞれ設けて形成したことにより圧入ピン２の軽量化を図ると共に、圧入ピン２の裏面に凹溝部１２を設けたことにより、該圧入ピンと連結する係止受筒１５の連結筒部１７の上端が喰い込みやすくすることができる。
【００２２】
また、前記圧入ピン２の保護頭部９の上端に設けた平坦部１０には、夜間における自動車または自転車などの光に反射する反射部（図示せず）を取付け、自動車や自転車などの車両による事故防止を図ることができる。
【００２３】
図４に示すごとく、第１係止受筒１５は、合成樹脂材により形成したフランジ部１６の中央垂直方向に連結筒部１７の一端を樹立させて一体に形成し、該連結筒部の上端挿入口１８を前記圧入ピン２の係止軸４に設けた鍔部５が挿入可能に形成し、内壁面１９の奥側を前記係止軸４の外径とほぼ同一径のテーパー状に狭ばめて形成することにより、前記係止軸４の先端が侵入しやすくすると共に鍔部５の喰込刃部８が内壁面１９の奥側に喰い込みやすくして確実に連結させることができる。
【００２４】
図５に示すごとく、第２係止受筒１５´は、合成樹脂材により形成したフランジ部
１６´の中央垂直方向に連結筒部１７´を樹立させて一体に形成し、該連結筒部の上端挿入口１８´と、内壁面１９´の挿入口寄りを前記圧入ピン２の係止軸４に設けた鍔部５が挿入可能な大径な内壁部１９ａをテーパー状に形成し、該内壁部の奥側を前記係止軸４とほぼ同径の小径に形成した内壁筒部１９ｂを連設することにより、前記係止軸４の先端が侵入したとき、鍔部５を内壁面１９´の奥側内壁筒部１９ｂに確実に喰い込ませて係止させることができる。なお、前記内壁部１９ａは、圧入ピン２の係止軸４に設けた鍔部５が挿入可能な大径な筒状に形成し、奥側の小径な内壁筒部１９ｂと段部を介して連設してもよい。
【００２５】
前記圧入ピン２の係止軸４の長さＸと、第１、２係止受筒１５、１５´の連結筒部１７１７´の長さＹをほぼ同一長さに形成することにより、圧入ピン２が第１、２係止受筒１５、１５´の最深部まで確実に圧入させて鍔部５と内壁面１９、１９´との摩擦抵抗を多くして確実に喰い込ませることにより、圧入ピン２に対して引き抜き方向の力が作用しても脱落を防止することができる。
【００２６】
また、連結時に第１、２係止受筒１５、１５´の連結筒部１７、１７´上端と、圧入ピン２の保護頭部９下面とが当接することにより、挿着した圧入ピン２のブレを防止し、さらには、所定の長さで係止ピン２が止まるので、締めすぎなどによる保護頭部９やフランジ部１６の破損を防止して確実に連結することができる。
【００２７】
前記圧入ピン２の係止軸４の長さや径は、前記したごとく、被連結部材の厚さ、取付け箇所などにより強度が異なることから、それぞれの取付け箇所にあわせたものを使用することができる。したがって、圧入ピン２の係止軸４が圧入される第１、２係止受筒１５、１５´の連結筒部１７、１７´の長さや内径も同様に形成することができる。
【００２８】
図６はランドセルやリュックサックまたはかばんなどに取付ける附属品の一つである第１背環２１で、該第１背環は、合成樹脂材により形成した背環本体２２の上端中央に不使用時のランドセルを任意フックに吊下げるための吊下環２３取付け、左右対称位置に一対の可動アーム２５をばね（図示せず）で揺動可能に付勢して軸支すると共に、該背環をランドセルの背板４０に連結する少なくとも１以上の挿入孔２７を一体に設け、該挿入孔の一端、背板側に、該背板の取付孔４１に貫通する支持筒部２９をそれぞれ一体に形成してある。
【００２９】
前記挿入孔２７の内壁面２８は、それぞれ前記圧入ピン２の係止軸４に設けた鍔部５が挿入可能に形成し、該内壁面の奥側を前記鍔部５の外径より狭く係止軸とほぼ同一の内径を有したテーパー状に形成にして前記係止軸４の鍔部５が内壁面２８に喰い込み可能に形成してある。
【００３０】
図７に示すごとく、背環２１の挿入孔２７´の内壁面２８´入口側を前記圧入ピン２の係止軸４に設けた鍔部５が挿入可能な大径な内壁部２８ａをテーパー状に形成し、該内壁部の奥側を前記係止軸（４）とほぼ同径の小径に形成した内壁筒部２８ｂを連設することにより、前記係止軸４の先端を圧入したとき、鍔部５の喰込刃部８が内壁筒部１９ｂに確実に喰い込ませて固着することができる。
【００３１】
３１は吊下げ具で、図８、９に示すごとく、薄厚の金属板または合成樹脂板を二つ折りにした基板３２の中央軸心方向にそれぞれ連結孔３３を形成し、前記基板３２を折り曲げた湾曲部３４に小物を吊下げるための輪環３５を遊嵌してある。前記輪環３５には、例えば、携帯電話、防犯ブザー、キーホルダーまたはマスコット人形などを吊下げることができる。
【００３２】
５０はランドセルの背板に取付ける第２背環で、合成樹脂材により形成した背環本体５１の上端中央に不使用時のランドセルを任意フックに吊下げるための吊下環５２を取付け、左右対称位置に一対の可動アーム５３をばね（図示せず）で揺動可能に付勢して軸支し、該背環をランドセルの背板４０に連結する少なくとも１以上の挿入孔５５を一体に設けて形成してある。
【００３３】
以下、本考案の実施形態の作用について説明すると、圧入ピン２と第１、２係止受筒１５、１５´（以下、係止受筒という）とを使用して例えば、吊下げ具３１を肩ベルト３７に連結する場合、図８、９に示すごとく、肩ベルト３７のピン孔３８に、表面側から吊下げ具３１の連結孔３３を位置し、次いで、肩ベルト３７の裏面側から係止受筒１５の連結筒部１７を挿通して先端を吊下げ具３１の連結孔３３とほぼ同一面に位置させてから圧入ピン２の係止軸の先端を連結筒部１７の挿入口１８から圧入する。
【００３４】
連結筒部１７の挿入口１８は、係止軸４の鍔部５が挿入可能な広径に形成してあるため、圧入ピン２の先端を挿入する際、係止軸４の先端を差し込んで垂直方向に自立させることができ、圧入ピン２の差し込み操作が簡単で、圧入時に係止軸４が曲がったりする圧入不良を防止することができる。
【００３５】
前記圧入ピン２の先端を係止受筒１５の連結筒部１７に差し込んだ後、圧入ピン２を圧入すると、係止軸４の鍔部５に設けた斜面部７が先端方向にテーパ状に形成してあるため内壁面１９に沿ってスムースに進入し、先細に形成した奥側に係止軸４の圧入力によって鍔部５の喰込刃部８が図１０に示すごとく、内壁面１９に喰い込みながら進入して係止する。
【００３６】
圧入ピン２を引き抜こうとする力が作用すると、圧入ピン２の鍔部５の喰込刃部８が係止受筒１５の内壁面１９にそれぞれ喰い込んで係止されているため引き抜くことは困難である。したがって、一度圧入した圧入ピン２は二度と引き抜くことはできないので、吊下げ具３１が使用中に肩ベルト３７から脱落するおそれがなく安心して使用することができる。
【００３７】
圧入ピン２の係止軸４の長さＸと、係止受筒１５の連結筒部１７の長さＹとをほぼ同一に形成したことにより、図９に示すごとく、圧入ピン２の先端が連結筒部１７の最深部まで進入すると、連結筒部１７の上端面と圧入ピン２の保護頭部９の下面とが当接して停止し、係止軸４と連結筒部１７との摩擦抵抗を強くして圧入ピン２の脱落を防止することができ、また、圧入時の締めすぎによる吊下げ具３１の破損や締め不足によるガタつきを防止することができる。
【００３８】
図５に示す第２係止受筒１５´と圧入ピン２とを使用して連結する場合、内壁面１９´の挿入口寄りを前記圧入ピン２の係止軸４に設けた鍔部５が挿入可能な大径な内壁部１９ａをテーパー状に形成し、奥側を前記係止軸４とほぼ同径の小径に形成した内壁筒部１９ｂを連設することにより、図１０に示すごとく、内壁面１９´の奥側内壁筒部１９ｂに係止軸４が圧入されると鍔部５の喰込刃部８が確実に喰い込んで係止させることができる。
【００３９】
また、圧入ピン２を引き抜こうとする力が作用すると、前記圧入ピン２の喰込刃部８が肉厚に形成されているため引き抜く力に対し、折れたり曲がったりすることなく内壁部１９ｂにそれぞれ確実に喰い込んで係止されるので引き抜くことは困難である。したがって、一度圧入した圧入ピン２は二度と引き抜くことはできないので、吊下げ具３１が使用中に肩ベルト３７から脱落するおそれがなく安心して使用することができる。
【００４０】
図１２に示すごとく、肩ベルト３７の先端に背環の可動アームと連結する連結環３９を取付ける場合、圧入ピン２と係止受筒１５により連結することにより、係止軸４と連結筒部１７との摩擦抵抗を強くして圧入ピン２の脱落を防止することができる。また、合成樹脂材により形成した連結具１を使用して連結することにかばんやランドセルの軽量化を図ることができる。
【００４１】
図１３に示すごとく、第１背環２１に直接圧入ピン２を差し込んで連結する場合、第１背環２１に設けた挿入孔２７の背面側に突出させた取付筒部２９を背板４０の取付孔４１に差し込み、次いで、背板４０の内側から圧入ピン２の係止軸４を取付筒部２９の取付孔２９ａに挿通すると共に、挿入孔２７に圧入して圧入ピン２の喰込刃部８を内壁面２８に喰い込ませて連結する。
【００４２】
したがって、係止受筒１５を使用することなく、直接第１背環２１に圧入ピン２を連結することができるため、部品数の減少と製品の軽量化と、作業能率の向上を図ることができ、また、一度圧入した圧入ピン２は、引き抜き方向の力に対して鍔部５の喰込刃部８が内壁面２８に喰い込んで離脱を防止することができる。
【００４３】
図１４に示すごとく、第２背環５０を背板４０に取付ける場合、圧入ピン２と係止受筒１５、１５´とにより連結する。最初に背板４０の表側に位置した第２背環５０の挿入孔５５に、背板４０の取付孔４１内側から係止受筒１５、１５´の連結筒部１７、１７´を挿通し、次いで、第２背環５０の表面側から圧入ピン２の係止軸４を連結筒部１７、１７´の挿入口１８、１８´に圧入する。
【００４４】
治具により圧入された圧入ピン２の鍔部５は円錐面７に沿って挿入口１８、１８´の内壁面１９、１９´の奥側に進入しながら鍔部５の喰込刃部８が内壁面１９、１９´に喰い込んで固着する。圧入ピン２を挿入したとき、該圧入ピンの保護頭部９の下面と、係止受筒１５の連結筒部１７の上端とを当接させることにより、圧入ピン２がブレを防止して確実に連結することができる。また、合成樹脂材による連結具１を使用して連結することにかばんやランドセルの軽量化を図ることができる。
【図面の簡単な説明】
【００４５】
【図１】本考案に係る圧入ピンの一部を破断した正面図である。
【図２】圧入ピンの係止軸に設けた鍔部の一部拡大図である。
【図３】圧入ピンの底面図である。
【図４】第１係止受筒の中央断面図である。
【図５】第２係止受筒の中央断面図である。
【図６】第１背環の一部破断した側面図である。
【図７】第１背環の連結筒部を示す要部拡大断面図である。
【図８】吊下げ具を肩ベルトに連結する前の状態を示す断面図である。
【図９】吊下げ具を肩ベルトに連結した状態を示す断面図である。
【図１０】圧入ピンの鍔部が係止受筒の内壁筒部に喰い込んだ状態を示す要部拡大断面図である。
【図１１】吊下げ具を肩ベルトに連結した状態を示す要部拡大平面図である。
【図１２】肩ベルトの一端に連結環を取付けた状態を示す断面図である。
【図１３】第１背環を背板に連結した状態を示す断面図である。
【図１４】第２背環を背板に連結した状態を示す断面図である。
【符号の説明】
【００４６】
１        連結具
２        圧入ピン
３        フランジ部
４        係止軸
５        鍔部
６        基部
７        円錐面
８        喰込刃部
９        保護頭部
１０      平坦部
１１      装飾部
１２      凹溝部
１５      第１係止受筒
１６      フランジ部
１７      連結筒部
１８      挿入口
１９      内壁面
１９ａ    内壁部
１９ｂ    内壁筒部
２１      第１背環
２６      挿入孔
２８      内壁面
３１      吊下げ具
５０      第２背環
５５      挿入孔
【図１】
0003146024.tif 000003
【図２】
0003146024.tif 000004
【図３】
0003146024.tif 000005
【図４】
0003146024.tif 000006
【図５】
0003146024.tif 000007
【図６】
0003146024.tif 000008
【図７】
0003146024.tif 000009
【図８】
0003146024.tif 000010
【図９】
0003146024.tif 000011
【図１０】
0003146024.tif 000012
【図１１】
0003146024.tif 000013
【図１２】
0003146024.tif 000014
【図１３】
0003146024.tif 000015
【図１４】
0003146024.tif 000016